(57)【要約】 【課題】シナリオデータのフレーム毎に投影条件が変動する場合においても、一台の投影装置で柔軟に投影条件の変動に対応可能とする。【解決手段】投影装置１によって画像情報を時系列で投影するためのシナリオデータ２６ｂである。１フレーム毎に、画像情報２６ｄと、当該画像情報２６ｄが投影される際の投影条件（フォーカス制御データ２６ｆ）とが一体化されている。これにより、シナリオデータ２６ｂのフレーム毎に投影条件が変動する場合においても、一台の投影装置１で柔軟に投影条件の変動に対応することができる。【選択図】図６
2014178503.tif 000002
【特許請求の範囲】
【請求項１】
投影装置によって画像情報を時系列で投影するためのシナリオデータであって、
１フレーム毎に、前記画像情報と、当該画像情報が投影される際の投影条件とが一体化されていることを特徴とするシナリオデータ。
【請求項２】
請求項１記載のシナリオデータにおいて、
前記投影条件は、前記画像情報の投影対象に対するフォーカス情報を含んでいることを特徴とするシナリオデータ。
【請求項３】
請求項２記載のシナリオデータにおいて、
前記投影条件は、前記投影装置から前記画像情報の投影対象までの距離を前記フォーカス情報として有していることを特徴とするシナリオデータ。
【請求項４】
請求項１〜３のいずれか一項に記載のシナリオデータにおいて、
前記投影条件は、前記画像情報の投影対象の位置及びサイズの少なくとも一方を有する投影面情報を含んでいることを特徴とするシナリオデータ。
【請求項５】
請求項１〜４のいずれか一項に記載のシナリオデータにおいて、
前記投影条件は、直前のフレームの前記投影条件との差分として設定されていることを特徴とするシナリオデータ。
【請求項６】
請求項１〜５のいずれか一項に記載のシナリオデータにおいて、
前記投影条件は、前記画像情報の投影対象に対するズーム情報を含んでいることを特徴とするシナリオデータ。
【請求項７】
請求項１〜６のいずれか一項に記載のシナリオデータにおいて、
前記投影条件は、前記画像情報の投影対象に対する明暗情報を含んでいることを特徴とするシナリオデータ。
【請求項８】
画像情報を時系列で投影するためのシナリオデータに基づいて画像を投影する投影装置であって、
前記画像情報を投影対象に投影する投影手段と、
１フレーム毎に、前記画像情報と、当該画像情報が投影される際の投影条件とが一体化された前記シナリオデータをデコードする解釈手段と、
前記解釈手段で解釈された各フレームの画像情報を投影する際には当該画像情報に対応する投影条件が反映されるように前記投影手段を制御する制御手段とを備えることを特徴とする投影装置。
【請求項９】
請求項８記載の投影装置において、
前記投影条件は、前記画像情報の投影対象の位置及びサイズの少なくとも一方を有する投影面情報を含み、
前記解釈手段は、前記シナリオデータに含まれる前記投影面情報を解釈し、
前記制御手段は、前記解釈手段で解釈された前記投影面情報に対応するように、前記画像情報を投影前に加工することを特徴とする投影装置。
【請求項１０】
画像情報を時系列で投影するためのシナリオデータに基づいて画像を投影する投影方法であって、
前記画像情報を投影対象に投影する投影工程と、
１フレーム毎に、前記画像情報と、当該画像情報が投影される際の投影条件とが一体化された前記シナリオデータをデコードする解釈工程と、
前記解釈工程で解釈された各フレームの画像情報を投影する際に、当該画像情報に対応する投影条件を前記投影工程で反映させる反映工程とを備えることを特徴とする投影方法。
【請求項１１】
請求項１０記載の投影方法において、
前記投影条件は、前記画像情報の投影対象に対するフォーカス情報を含み、
前記フォーカス情報は前記画像情報を投影対象に合焦させないぼかし情報を含んでいることを特徴とする投影方法。
【発明の詳細な説明】
【技術分野】
【０００１】
本発明は、シナリオデータ、投影装置及び投影方法に係り、特に画像情報を時系列で投影するためのシナリオデータ、投影装置及び投影方法に関する。
【背景技術】
【０００２】
例えばプロジェクタなどの投影装置においては、画像情報を時系列で投影するため、多数のフレームからなるシナリオデータを事前に作成し、当該シナリオデータに基づいて種々の画像情報を投影対象に投影するものが知られている（例えば特許文献１参照）。
ここで、より高い演出効果を創出すべく、近年においては投影条件を異ならせて、様々な映像演出を実現する技術が開発されている。その１つとして、例えば投影方向に異なる位置にある複数の投影対象に対しても画像情報を投影する技術がある。現状では、各投影対象に対して専用の投影装置が一台ずつ配備されていて、これらの投影装置を１つのシナリオデータで同期させることで、複数の投影対象に対して種々の画像情報を合焦させながら投影するようになっている。
【先行技術文献】
【特許文献】
【０００３】
【特許文献１】特開２００５−１０８２１９号公報
【発明の概要】
【発明が解決しようとする課題】
【０００４】
ところで、システム全体のコスト削減の観点から投影装置の設置台数を抑制することが望まれている。
そこで本発明の課題は、シナリオデータのフレーム毎に投影条件が変動する場合においても、一台の投影装置で柔軟に投影条件の変動に対応可能とすることである。
【課題を解決するための手段】
【０００５】
以上の課題を解決するため、本発明の一の態様によれば、
投影装置によって画像情報を時系列で投影するためのシナリオデータであって、
１フレーム毎に、前記画像情報と、当該画像情報が投影される際の投影条件とが一体化されていることを特徴としている。
【発明の効果】
【０００６】
本発明によれば、シナリオデータのフレーム毎に投影条件が変動する場合においても、一台の投影装置で柔軟に投影条件の変動に対応することができる。
【図面の簡単な説明】
【０００７】
【図１】本実施形態の投影装置を備える投影システムの概略構成を模式的に示す側面図である。
【図２】図１の投影システムの概略構成を投影装置側から見た模式図である。
【図３】本実施形態に係る投影装置及びパソコン（パーソナルコンピュータ）の制御構成を示すブロック図である。
【図４】本実施形態に係るシナリオデータの作成手順を示すフローチャートである。
【図５】本実施形態に係る描画素子の全体描画領域と、スクリーン部の各投影面との関係を示す説明図である。
【図６】本実施形態に係るシナリオデータのデータフォーマットを示す説明図である。
【図７】本実施形態に係る投影装置の焦点調整手順を示すフローチャートである。
【図８】本実施形態に係るシナリオデータの再生手順を示すフローチャートである。
【図９】本実施形態の第一描画領域で表示された映像オブジェクトが第一投影面に投影された状態を示す説明図である。
【図１０】本実施形態の第二描画領域で表示された映像オブジェクトが第二投影面に投影された状態を示す説明図である。
【図１１】本実施形態の第三描画領域で表示された映像オブジェクトが第三投影面に投影された状態を示す説明図である。
【図１２】本実施形態に係るシナリオデータの一例として１フレームから５フレームまでの投影対象及び各フォーカス制御データを示す図である。
【図１３】本実施形態に係る投影装置と各投影面との配置を異ならせた一例を示す説明図である。
【図１４】本実施形態に係る描画素子の全体描画領域と、各投影面の投影領域との関係を示す説明図である。
【図１５】本実施形態に係る第一描画領域内に収まる映像オブジェクトとして「女の子」が設定された状態を示している。
【図１６】本実施形態に係る第二描画領域内に収まる映像オブジェクトとして「男の子」が設定された状態を示している。
【図１７】本実施形態に係る第三描画領域内に収まる映像オブジェクトとして「成年男子」が設定された状態を示している。
【図１８】本実施形態に係るシナリオデータの一例として１フレームから４フレームまでの投影対象及び各フォーカス制御データを示す図である。
【図１９】本実施形態に係る投影面情報として第二投影面の位置とサイズとが設定されている場合に第二投影面に対して「女の子」の映像オブジェクトが投影された状態を示す説明図である。
【図２０】本実施形態に係る投影面情報として第三投影面の位置とサイズとが設定されている場合に第三投影面に対して「女の子」の映像オブジェクトが投影された状態を示す説明図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態に係る投影装置１を備える投影システム１００の概略構成を模式的に示す側面図である。図２は投影システム１００の概略構成を投影装置１側から見た模式図である。
図１及び図２に示すように投影システム１００には、画像情報を時系列で投影するためのシナリオデータに基づいて画像を投影する投影装置１と、投影装置１に対してシナリオデータを出力するパソコン（パーソナルコンピュータ）２と、複数の投影面３１，３２，３３を有するスクリーン部３とが備えられている。複数の投影面３１，３２，３３のうち、第一投影面３１は投影装置１から距離ｄ１の位置に配置され、第二投影面３２は距離ｄ２の位置に配置され、第三投影面３３は距離ｄ３の位置に配置されている。
【００１０】
図３は投影装置１及びパソコン２の制御構成を示すブロック図である。図３に示すように、パソコン２には、ＣＰＵ２１、ＲＡＭ２２、ＶＲＡＭ２３、入力手段２４、通信手段２５及び記録手段２６が備えられており、これらが電気的に接続されている。
通信手段２５には、ＬＡＮケーブルやシリアル通信ケーブルなどの通信ケーブル２７が通信ポート２８を介して接続されている。
ＶＲＡＭ２３には、ＨＤＭＩケーブルや、アナログビデオ信号ケーブル、ＤＶＩケーブルなどの映像ケーブル２９が映像出力端子２３ａを介して接続されている。
通信ケーブル２７及び映像ケーブル２９は、投影装置１に接続されている。
記録手段２６には、投影装置１に対して種々の制御を行うための描画アプリケーション２６ａと、描画アプリケーション２６ａの実行に際して読み出される複数のシナリオデータ２６ｂが記録されている。
入力手段２４は、例えばマウスやキーボードなどである。
【００１１】
ＣＰＵ２１は、入力手段２４の操作によって描画アプリケーション２６ａが選択されると、当該描画アプリケーション２６ａのプログラムをＲＡＭ２２に展開して、描画アプリケーション２６ａを実行する。描画アプリケーション２６ａの機能としては、シナリオデータ２６ｂの作成や、シナリオデータ２６ｂを投影装置１に転送し、シナリオデータ２６ｂに基づく画像を投影装置１から投影させることなどである。
【００１２】
投影装置１には、ＣＰＵ１１、ＲＡＭ１２、映像入力端子１３、通信手段１４、入力手段１５、光源制御手段１６、描画制御手段１７、投影サイズ制御手段１８及びフォーカス制御手段１９が備えられており、これらが電気的に接続されている。
通信手段１４には、通信ケーブル２７が接続されており、パソコン２側から出力された制御信号が入力されるようになっている。
映像入力端子１３には、映像ケーブル２９が接続されており、パソコン２側から出力された映像信号が入力されるようになっている。
【００１３】
光源制御手段１６には投影光の光源１６ａが接続されている。光源制御手段１６は、ＣＰＵ１１からの制御信号に基づいて光源１６ａを制御する。
描画制御手段１７には、ＤＭＤ（Digital Micromirror Device）素子やＬＣＤ（Liquid Crystal Display）素子などの映像信号を画像に変換する描画素子１７ａが接続されている。描画制御手段１７は、映像入力端子１３から映像信号として入力されたシナリオデータ２６ｂ及びＣＰＵ１１からの制御信号に基づいて描画素子１７ａを制御する。
投影サイズ制御手段１８及びフォーカス制御手段１９には、光源１６ａから照射され、描画素子１７ａを透過／反射した投影光を合焦する投影レンズ１８ａが接続されている。投影レンズ１８ａには、倍率調整用レンズや焦点調整用レンズが含まれている。投影サイズ制御手段１８は、シナリオデータ２６ｂ及びＣＰＵ１１からの制御信号に基づいて倍率調整用レンズを制御し、投影した画像の倍率を調整する。フォーカス制御手段１９は、シナリオデータ２６ｂ及びＣＰＵ１１からの制御信号に基づいて焦点調整用レンズを制御し、投影した画像のフォーカスを調整する。
これら光源制御手段１６、描画制御手段１７、投影サイズ制御手段１８、フォーカス制御手段１９、光源１６ａ、描画素子１７ａ及び投影レンズ１８ａが本発明に係る投影手段である。
入力手段１５は、投影装置１の本体に搭載された操作スイッチや、図示しないリモコンの操作スイッチ等である。入力手段１５を操作することで、投影倍率やフォーカスの調整を行うことが可能となっている。
なお、本実施形態ではパソコン２の通信手段２５と投影装置１の通信手段１４との通信が有線で行われる場合を例示しして説明したが、無線による通信を用いることも可能である。
【００１４】
図４は、シナリオデータ２６ｂの作成手順を示すフローチャートである。
パソコン２では、描画アプリケーション２４ａを実行することにより、シナリオデータ２６ｂの作成が可能となっている。
図４のステップＳ１に示すように、先ずシナリオデータ２６ｂの企画テーマを決定する。
ステップＳ２では、企画テーマに沿うように投影先のレイアウト案を決定する。具体的なレイアウト案としては、図１及び図２に示すスクリーン部３の各投影面３１，３２，３３の設置個数や、形状、大きさ、設置座標等である。
【００１５】
ステップＳ３では、投影装置１の配置や投影方法を決定する。この段階で、投影先のレイアウト案に適合する投影面積や明るさなどを有する種類の投影装置１が選定される。
ステップＳ４では、投影先のレイアウト案に基づき、描画素子１７ａにおける全体描画領域の背景レイアウトを決定する。
【００１６】
図５は、描画素子１７ａの全体描画領域１７ｂと、スクリーン部３の各投影面３１，３２，３３との関係を示す説明図である。描画素子１７ａの全体描画領域１７ｂには、各投影面３１，３２，３３に対応するように描画領域３１ｂ，３２ｂ，３３ｂが設定されている。具体的には、第一描画領域３１ｂから投影された映像は第一投影面３１と重なるように設定されている。同様に、第二描画領域３２ｂから投影された映像は第二投影面３２と重なるように設定されている。第三描画領域３３ｂから投影された映像は第二投影面３３と重なるように設定されている。
各投影面３１，３２，３３に基づく各描画領域３１ｂ，３２ｂ，３３ｂの設定は、実際のスクリーン部３と投影装置１との位置関係から割り出しても良いし、実寸大のダミーモデルや、ミニチュアサイズのダミーモデルでのテストによって割り出してもよい。また、ＣＧなどによるシミュレーションから行ってもよい。
【００１７】
そして、各描画領域３１ｂ，３２ｂ，３３ｂの設定が完了すると、各描画領域３１ｂ，３２ｂ，３３ｂの背景レイアウトを設定する。背景レイアウトとは、映像オブジェクトが表示される１つの描画領域３１ｂ，３２ｂ，３３ｂが決定されると、当該描画領域３１ｂ，３２ｂ，３３ｂ以外の全体描画領域１７ｂの部分を背景として設定するレイアウトのことである。背景として設定された部分は、例えば光を投影しないように黒色として表現される。なお、映像オブジェクトの表示を見えにくくしない範囲であれば、背景として設定された部分に単一色や、画像を投影してもよい。
【００１８】
図４のステップＳ５では、企画テーマに沿うような映像オブジェクトやその動きを決定する。
ステップＳ６では、映像オブジェクトを表示する各フレームにフォーカス制御データ（フォーカス情報）を付与する。フォーカス制御データは、直前のフレームのフォーカス制御データとの差分である。
ステップＳ７では、映像オブジェクトの画像情報や、フォーカス制御データを１フレーム毎に一体化してシナリオデータ２６ｂを記録手段２６に記録させる。
図６はシナリオデータ２６ｂのデータフォーマットを示す説明図である。図６に示すようにシナリオデータ２６ｂは、１フレームからＮフレームまでの多数のフレームデータ２６ｃを有している。１つのフレームデータ２６ｃは、映像オブジェクトをなす１フレーム分の画像情報２６ｄと、当該画像情報２６ｄの表示タイミングや映像オブジェクトの投影個数などを示すヘッダ情報２６ｅと、画像情報２６ｄの投影対象に対するフォーカス制御データ２６ｆとが一体化されている。
【００１９】
次に、投影装置１の焦点調整手順について説明する。図７は投影装置１の焦点調整手順を示すフローチャートである。
投影装置１の焦点調整には、入力手段１５の操作キーが操作されることで焦点調整を行う直接的な焦点調整処理と、外部機器から入力された制御信号に基づいて焦点調整を行う間接的な焦点調整処理とがある。以下の説明では、焦点調整用の操作キーとして、焦点位置を手前に一段階近づける操作キーを近接キーとし、焦点位置を遠方に一段階遠ざける操作キーを遠隔キーとする。また、焦点調整用の制御信号として、焦点位置を手前に一段階近づける制御信号を近接信号とし、焦点位置を遠方に一段階遠ざける制御信号を遠隔信号とする。
【００２０】
図７に示すように、ステップＳ１１では、投影装置１のＣＰＵ１１は、焦点調整に関する操作キーが操作されたか、焦点調整に関する制御信号が入力されたかを判断し、前記操作キーが操作された場合はステップＳ１２に移行し、前記制御信号が入力された場合にはステップＳ１３に移行し、これらの操作や入力が行われていない場合はそのままの状態で待機する。
【００２１】
ステップＳ１２では、投影装置１のＣＰＵ１１は、操作された操作キーが近接キーであるか否かを判断し、近接キーである場合にはステップＳ１４に移行し、近接キーでない場合、つまり遠隔キーの場合にはステップＳ１５に移行する。
【００２２】
ステップＳ１３では、投影装置１のＣＰＵ１１は、入力された制御信号が近接信号であるか否かを判断し、近接信号である場合にはステップＳ１４に移行し、近接信号でない場合、つまり遠隔信号の場合にはステップＳ１５に移行する。
ステップＳ１４では、投影装置１のＣＰＵ１１は、焦点調整用レンズの設定値を現在の値から１を差し引き、ステップＳ１６に移行する。
ステップＳ１５では、投影装置１のＣＰＵ１１は、焦点調整用レンズの設定値を現在の値に１を加え、ステップＳ１７に移行する。
【００２３】
ステップＳ１６では、投影装置１のＣＰＵ１１は、焦点調整用レンズの設定値に基づいてフォーカス制御手段１９を制御することで、焦点調整用レンズを一段階手前に移動させる。
ステップＳ１７では、投影装置１のＣＰＵ１１は、焦点調整用レンズの設定値に基づいてフォーカス制御手段１９を制御することで、焦点調整用レンズを一段階奥に移動させる。
【００２４】
次に、シナリオデータ２６ｂの再生手順について説明する。
図８はシナリオデータ２６ｂの再生手順を示すフローチャートである。
投影装置１のＣＰＵ１１は、パソコン２からシナリオデータ２６ｂが入力されると、シナリオデータ再生処理を実行する。
【００２５】
ステップＳ２１では、投影装置１のＣＰＵ１１はｎを０にリセットし、ステップＳ２２に移行する。
ステップＳ２２では、投影装置１のＣＰＵ１１はｎに１を加え、ステップＳ２３に移行する。
ステップＳ２３では、投影装置１のＣＰＵ１１は、入力されたシナリオデータ２６ｂからｎ番目のフレームデータ２６ｃを読み出す。
【００２６】
ステップＳ２４では、投影装置１のＣＰＵ１１は、ｎ番目のフレームデータ２６ｃから画像情報２６ｄをデコードし、ステップＳ２５に移行する。
ステップＳ２５では、投影装置１のＣＰＵ１１は、ｎ番目のフレームデータ２６ｃからフォーカス制御データ２６ｆをデコードし、ステップＳ２７に移行する。
これらステップＳ２４及びステップＳ２５が本発明に係る解釈工程であり、投影装置１のＣＰＵ１１が本発明に係る解釈手段である。
【００２７】
ステップＳ２６では、投影装置１のＣＰＵ１１は、フォーカス制御データ２６ｆから焦点調整用レンズの移動量を決定する。具体的に説明すると、フォーカス制御データ２６ｆは、例えば２バイトデータとしてフレームデータ２６ｃに含まれている。２バイトデータのうち、上位の１バイトが「０ｘ００」の場合は現在の位置を基準とした焦点調整用レンズの移動量及び移動方向を示している。この場合、下位の１バイトのうち、上位の４ビットが奥側への移動量を示し、下位の４ビットが手前側への移動量を示している。例えば、移動をしない場合には「０ｘ００００」、奥側へ二段階移動させる場合は「０ｘ００２０」、手前側に三段階移動させる場合は「０ｘ０００３」となる。このようなデータ形式のために、フォーカス制御データ２６ｆは直前のフレームの差分として記録されている。
【００２８】
他方、２バイトデータのうち、上位の１バイトが「０ｘｆｆ」の場合は初期設定のフォーカス位置に焦点調整用レンズを移動させる旨を示している。この場合、下位の１バイトの値は無視する。
なお、フォーカス制御データ２６ｆの形式はこれに限定されるものではなく、周知のデータ形式を好適に用いることが可能である。
【００２９】
ステップＳ２７では、投影装置１のＣＰＵ１１は、フォーカス制御データ２６ｆが「０ｘ００００」であると焦点調整用レンズの移動なしと判断してステップＳ３０に移行し、「０ｘ００００」以外であると焦点調整用レンズの移動がありと判断してステップＳ２８に移行する。
【００３０】
ステップＳ２８では、投影装置１のＣＰＵ１１は、フォーカス制御データ２６ｆにある移動量から遠隔信号又は近接信号の入力回数を決定し、ステップＳ２９に移行する。ここで上位の１バイトが「０ｘ００」の場合は、下位の４バイトで示される値、つまり直前のフレームの差分から遠隔信号又は近接信号の入力回数が決まる。例えば「０ｘ００２０」であると奥側に二段階移動させる旨が示されているので遠隔信号の入力回数が２回ということになる。また、「０ｘ０００３」であると手前側に三段階移動させる旨が示されているので近接信号の入力回数が３回ということになる。
なお、「０ｘｆｆ００」の場合には、焦点調整用レンズの現在位置と初期位置との差分から移動量及び移動方向を割り出し、遠隔信号又は近接信号の入力回数を決定する。
【００３１】
ステップＳ２９では、投影装置１のＣＰＵ１１は、決定された入力回数分だけ焦点調整処理を実行し、ステップＳ３０に移行する。このステップＳ２９が本発明に係る反映工程であり、ＣＰＵ１１が本発明の制御手段となる。
ステップＳ３０では、投影装置１のＣＰＵ１１は、ステップＳ２４でデコードした画像情報２６ｄに基づいて描画制御手段１７を制御することで、画像情報２６ｄに基づく画像を描画素子１７ａに表示させる。これによりフレームデータ２６ｃが更新され、スクリーン部３に画像が表示される。つまり、ステップＳ３０が本発明に係る投影工程である。更新後、ステップＳ３１に移行する。
ステップＳ３１では、投影装置１のＣＰＵ１１は、次のフレームデータ２６ｃの表示タイミングまで待機し、ステップＳ３２に移行する。
【００３２】
ステップＳ３２では、投影装置１のＣＰＵ１１は、ｎ＝Ｎであるか否かを判断し、ｎ＜Ｎである場合にはステップＳ２２に移行して、ｎ＝Ｎである場合には１シナリオデータ２６ｂの再生が終わったこととなり、再生処理を終了する。
【００３３】
次に、投影対象の切替について具体例を挙げて説明する。
投影対象として第一投影面３１が設定されている場合、画像情報２６ｄは第一描画領域３１ｂ内に収まる映像オブジェクトが設定されている。図９は、第一描画領域３１ｂ内に収まる映像オブジェクトとして「女の子」が設定されていて、当該第一描画領域３１ｂに描画された画像が第一投影面３１に投影された状態を示している。
投影対象として第二投影面３２が設定されている場合、画像情報２６ｄは第二描画領域３２ｂ内に収まる映像オブジェクトが設定されている。図１０は、第二描画領域３２ｂ内に収まる映像オブジェクトとして「男の子」が設定されていて、当該第二描画領域３２ｂに描画された画像が第二投影面３２に投影された状態を示している。
投影対象として第三投影面３３が設定されている場合、画像情報２６ｄは第三描画領域３３ｂ内に収まる映像オブジェクトが設定されている。図１１は、第三描画領域３３ｂ内に収まる映像オブジェクトとして「青年男子」が設定されていて、当該第三描画領域３３ｂに描画された画像が第三投影面３３に投影された状態を示している。
なお、いずれの場合においても、スクリーン部３における投影対象以外の部分は、前述した背景レイアウトに対応していて、光を投影しないよう黒色として表現されている。
【００３４】
図１２はシナリオデータ２６ｂの一例として１フレームから５フレームまでの投影対象及び各フォーカス制御データ２６ｆを示す図である。図１２の例であると、先ず１フレーム目では投影対象が設定されていないためフォーカス制御データ２６ｆが「０ｘｆｆ００」に設定され、これにより焦点調整用レンズを初期位置に移動させることとなる。なお、本実施形態では焦点調整用レンズの初期位置は第二投影面３２に焦点が合う位置である。
２フレーム目では投影対象が第二投影面３２に設定されているため、フォーカス制御データ２６ｆが「０ｘ００００」に設定されている。つまり、焦点調整用レンズの移動は行われない。そして、このときの画像情報２６ｄは図１０に示すように第二描画領域３２ｂ内に収まる映像オブジェクトが設定されているので、第二投影面３２に画像が投影されることになる。
【００３５】
３フレーム目では投影対象が第一投影面３１に設定されているため、フォーカス制御データ２６ｆが「０ｘ０００１」に設定されている。つまり、２フレーム目から一段階だけ手前に焦点投影用レンズを移動させる。そして、このときの画像情報２６ｄは図９に示すように第一描画領域３１ｂ内に収まる映像オブジェクトが設定されているので、第一投影面３１に画像が投影されることになる。
４フレーム目では投影対象が第二投影面３２に設定されているため、フォーカス制御データ２６ｆが「０ｘ００１０」に設定されている。つまり、３フレーム目から一段階だけ奥側に焦点投影用レンズを移動させる。そして、このときの画像情報２６ｄは図１０に示すように第二描画領域３２ｂ内に収まる映像オブジェクトが設定されているので、第二投影面３２に画像が投影されることになる。
５フレーム目では投影対象が第三投影面３３に設定されているため、フォーカス制御データ２６ｆが「０ｘ００１０」に設定されている。つまり、４フレーム目から一段階だけ奥側に焦点投影用レンズを移動させる。そして、このときの画像情報２６ｄは図１１に示すように第三描画領域３３ｂ内に収まる映像オブジェクトが設定されているので、第三投影面３３に画像が投影されることになる。
【００３６】
なお、本実施形態では、焦点調整用レンズが一段階ずつ移動することで、各投影面３１，３２，３３に焦点が合う場合を例示して説明したが、一段階分の移動量をより小さくして、複数段階分の移動量で焦点を合わすようにしてもよい。この場合、各投影面３１，３２，３３を等間隔に配置しなくとも焦点を合わすことが可能になる。
また、本実施形態では、映像オブジェクトが１つの投影面３１，３２，３３に収まるようになっているが、複数の投影面３１，３２，３３にわたって映像オブジェクトを表示させるとも可能である。この場合、複数の投影面３１，３２，３３のうち、優先される投影面３１，３２，３３を投影対象として事前に決定し、その投影対象となった投影面３１，３２，３３に焦点を合わせてもよい。また、複数の投影面３１，３２，３３の中間位置か、或いは現在の位置で焦点を合わせてもよい。極端な焦点ズレは防止することが可能である。
【００３７】
以上のように、本実施形態によれば、シナリオデータ２６ｂには、１フレーム毎に、画像情報２６ｄと、当該画像情報２６ｄが投影される際のフォーカス制御データ（フォーカス情報）２６ｆとが一体化されているので、フレームデータ２６ｃをデコードすれば画像情報２６ｄ及びフォーカス制御データを個別に抽出することができる。したがって、一台の投影装置１であっても、フレーム毎の投影対象（投影面３１，３２，３３）の変動に応じて柔軟に合焦することができ、フォーカスに関する演出を容易に行うことが可能となる。
【００３８】
また、フォーカス制御データ２６ｆが直前のフレームの差分として設定されているので、焦点調整用レンズの移動の度に現状の値との差分を計算する必要もなくなり、迅速に焦点調整用レンズの移動を実行することができる。
しかし、本発明は、フォーカス制御データ２６ｆが差分値で表現されていないものを除外するものではないことは言うまでもない。
【００３９】
なお、本発明は上記実施形態に限らず適宜変更可能である。以下の説明において上記実施形態と同一の部分においては同一の符号を付してその説明を省略する。
【００４０】
上記実施形態では、投影装置１の投影方向に対して直交するように投影面３１，３２，３３が配置された場合を例示したが、以下の変形例では投影装置１の投影方向に対して斜めとなるように投影面３１，３２，３３が配置された場合を例示して説明する。
図１３は、投影装置１と投影面３１，３２，３３との配置を異ならせた一例を示す説明図である。図１３に示すように、室内２００の１つの壁２０１に対して平行となるように投影面３１，３２，３３が配置されている。第一投影面３１が最も壁２０１から離れていて、第三投影面３３が最も壁２０１に近く、第二投影面３２が第一投影面３１と第二投影面３３との間に配置されている。投影装置１はいずれの投影面３１，３２，３３よりも手前の右側に配置されている。各投影面３１，３２，３３中には、投影領域３１ａ，３２ａ，３３ａが設定されていて、この内側に映像オブジェクトが投影されることになる。
【００４１】
図１４は描画素子１７ａの全体描画領域１７ｂと、各投影面３１，３２，３３の投影領域３１ａ，３２ａ，３３ａとの関係を示す説明図である。描画素子１７ａの全体描画領域１７ｂには、各投影領域３１ａ，３２ａ，３３ａに対応するように描画領域３１ｃ，３２ｃ，３３ｃが設定されている。ここで、投影後に各投影領域３１ａ，３２ａ，３３ａに一致するように各投影領域３１ａ，３２ａ，３３ａは台形状に設定されている。これは投影装置１の投影方向に対して斜めに投影面３１，３２，３３が配置されていることを考慮したためである。なお、図１３においては全体描画領域１７ｂの投影領域は、波線Ｌ１で囲まれた領域である。
【００４２】
次に、投影対象の切替について具体例を挙げて説明する。
投影対象として第一投影面３１が設定されている場合、画像情報２６ｄは第一描画領域３１ｃ内に収まる映像オブジェクトが設定されている。図１５は、第一描画領域３１ｃ内に収まる映像オブジェクトとして「女の子」が設定された状態を示している。当該第一描画領域３１ｃに描画された画像が第一投影面３１の投影領域３１ａに投影されると「女の子」が表示されることになる。
投影対象として第二投影面３２が設定されている場合、画像情報２６ｄは第二描画領域３２ｃ内に収まる映像オブジェクトが設定されている。図１６は、第二描画領域３２ｃ内に収まる映像オブジェクトとして「男の子」が設定された状態を示している。当該第二描画領域３２ｃに描画された画像が第二投影面３２の投影領域３２ａに投影されると「男の子」が表示されることになる。
投影対象として第三投影面３３が設定されている場合、画像情報２６ｄは第三描画領域３３ｃ内に収まる映像オブジェクトが設定されている。図１７は、第三描画領域３３ｃ内に収まる映像オブジェクトとして「成年男子」が設定された状態を示している。当該第三描画領域３３ｃに描画された画像が第三投影面３３の投影領域３３ａに投影されると「成年男子」が表示されることになる。
【００４３】
図１８はシナリオデータ２６ｂの一例として１フレームから４フレームまでの投影対象及び各フォーカス制御データ２６ｆを示す図である。図１８の例であると、先ず１フレーム目では投影対象が設定されていないためフォーカス制御データ２６ｆが「０ｘｆｆ００」に設定され、これにより焦点調整用レンズを初期位置に移動させることとなる。なお、本実施形態では焦点調整用レンズの初期位置は第二投影面３２に焦点が合う位置である。
２フレーム目では投影対象が第一投影面３１に設定されているため、フォーカス制御データ２６ｆが「０ｘ０００１」に設定されている。つまり、１フレーム目から一段階だけ手前に挑戦投影用レンズを移動させる。そして、このときの画像情報２６ｄは図１５に示すように第一描画領域３１ｂ内に収まる映像オブジェクトが設定されているので、第一投影面３１の投影領域３１ａに画像が投影されることになる。
【００４４】
３フレーム目では投影対象が第二投影面３２に設定されているため、フォーカス制御データ２６ｆが「０ｘ００１０」に設定されている。つまり、２フレーム目から一段階だけ奥側に焦点投影用レンズを移動させる。そして、このときの画像情報２６ｄは図１６に示すように第二描画領域３２ｂ内に収まる映像オブジェクトが設定されているので、第二投影面３２の投影領域３２ａに画像が投影されることになる。
４フレーム目では投影対象が第三投影面３３に設定されているため、フォーカス制御データ２６ｆが「０ｘ００１０」に設定されている。つまり、３フレーム目から一段階だけ奥側に焦点投影用レンズを移動させる。そして、このときの画像情報２６ｄは図１７に示すように第三描画領域３３ｂ内に収まる映像オブジェクトが設定されているので、第三投影面３３の投影領域３３ａに画像が投影されることになる。
【００４５】
また、上記実施形態では、フォーカス制御データ２６ｆとして焦点調整用レンズの移動量及び移動方向が段階的に設けられている場合を例示して説明したが、投影装置１と投影対象（投影面３１，３２，３３）との距離をフォーカス制御データ２６ｆとして用いることも可能である。この場合、投影装置１と投影対象との距離に基づいて、画像情報２６ｄが各投影面３１，３２，３３に合焦して投影されるように焦点調整用レンズの移動量及び移動方向をＣＰＵ１１が算出することになる。したがって、段階的に設定されたフォーカス制御データ２６ｆよりもリニアな距離変動に正確に対応することができる。
【００４６】
また、上記実施形態では、画像情報２６ｄが投影対象に対して合焦して投影されるためのフォーカス制御データ２６ｆを例示して説明したが、投影対象に対して画像情報２６ｄを合焦させないぼかし情報をフォーカス制御データ２６ｆが含んでいてもよい。この場合、投影対象に画像情報２６ｄを意図的にぼかして表示させるといったことが可能となるため、演出効果をより高めることができる。
ぼかし情報とは、画像情報２６ｄを投影対象に合焦させない範囲での焦点調整用レンズの移動量及び移動方向である。
【００４７】
また、上記実施形態では、シナリオデータ２６ｂの１フレーム毎に画像情報２６ｄとフォーカス制御データ２６ｆとが一体化されている場合を例示した。このフォーカス制御データ２６ｆは、画像情報２６ｄが投影される際の投影条件の一例である。すわなち、フォーカス制御データ２６ｆ以外の投影条件も画像情報２４ｃとともに１フレーム毎に一体化することも可能である。
これにより、シナリオデータ２６ｂのフレーム毎に投影条件が変動する場合においても、一台の投影装置１で柔軟に投影条件の変動に対応することができる。
【００４８】
なお、フォーカス制御データ２６ｆ以外の投影条件としては、例えば画像情報２６ｄの投影対象に対するズーム情報と、画像情報２６ｄの投影対象に対する明暗情報（ブライト情報）、画像情報２６ｄの投影対象の位置及びサイズの少なくとも一方を有する投影面情報などが挙げられる。なお、投影条件は１種類のみが画像情報２６ｄと一体化されていてもよく、複数種類がまとめて画像情報２６ｄと一体化されていてもよい。
【００４９】
投影条件として画像情報２６ｄの投影対象に対するズーム情報が用いられている場合には、フレームデータ２６ｃをデコードすれば画像情報２６ｄ及びズーム情報を個別に抽出することができる。したがって、一台の投影装置１であっても、フレーム毎の拡大縮小を柔軟に行うことができ、拡大縮小に関する演出を容易に行うことが可能となる。
【００５０】
投影条件として画像情報２６ｄの明暗情報が用いられている場合には、フレームデータ２６ｃをデコードすれば画像情報２６ｄ及び明暗情報を個別に抽出することができる。したがって、一台の投影装置１であっても、フレーム毎の明るさ調整を柔軟に行うことができ、投影画像の明るさに関する演出を画像情報２６ｄとは独立して行うことが可能となる。
【００５１】
投影条件として投影面情報が用いられている場合には、上述したように描画素子１７ａの各描画領域３１ｂ，３２ｂ，３３ｂのそれぞれに映像オブジェクトの詳細を事前に設定しなくともよくなる。具体的には、投影面情報としての投影対象の位置としては、投影装置１から投影対象（投影面３１，３２，３３）までの距離や、各投影面３１，３２，３３の投影可能領域の中心の座標位置、投影装置１の投影方向に対して各投影面３１，３２，３３が傾いている場合にはその角度などが挙げられる。投影面情報としての投影対象のサイズとしては、各投影面３１，３２，３３の投影可能領域の大きさが挙げられる。
投影装置１のＣＰＵ１１は、投影面情報に基づいて映像オブジェクトの画像情報２６ｂを投影前に適切に加工する。
例えば、画像情報２６ｄとして「女の子」の映像オブジェクトのみが設定されていて、投影面情報として第一投影面３１の位置とサイズとが設定されている場合には、図９に示すように第一投影面３１に対して「女の子」の映像オブジェクトが投影されるように、画像情報２６ｂが適切に加工されている。同様に、画像情報２６ｄとして「女の子」の映像オブジェクトのみが設定されていて、投影面情報として第二投影面３２の位置とサイズとが設定されている場合には、図１９に示すように第二投影面３２に対して「女の子」の映像オブジェクトが投影されるように、画像情報２６ｂが適切に加工されている。そして、画像情報２６ｄとして「女の子」の映像オブジェクトのみが設定されていて、投影面情報として第三投影面３３の位置とサイズとが設定されている場合には、図２０に示すように第三投影面３３に対して「女の子」の映像オブジェクトが投影されるように、画像情報２６ｂが適切に加工されている。
いずれの場合においても、投影対象のサイズに収まるように「女の子」の画像情報２６ｂが投影前に加工されて映像オブジェクトの大きさが変更され、その周辺は黒データとして加工される。
このようにすると、映像オブジェクト自体を共通にして、投影に際しては、投影条件を反映して投影するようにでき、シナリオデータの作成の自由度、汎用性を高めることができる。
【００５２】
なお、投影面は、上述したスクリーン部３や、壁面など以外にも天井や床、車両、ビルや橋などの構造物の外壁面などでもよい。
また、投影面はフラットな平面以外にも、映像オブジェクトの歪みが補正可能ならば球面であっても多角錐の側面、それ以外の曲面であってもよい。
【００５３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５４】
〔付記〕
＜請求項１＞
投影装置によって画像情報を時系列で投影するためのシナリオデータであって、
１フレーム毎に、前記画像情報と、当該画像情報が投影される際の投影条件とが一体化されていることを特徴とするシナリオデータ。
＜請求項２＞
請求項１記載のシナリオデータにおいて、
前記投影条件は、前記画像情報の投影対象に対するフォーカス情報を含んでいることを特徴とするシナリオデータ。
＜請求項３＞
請求項２記載のシナリオデータにおいて、
前記投影条件は、前記投影装置から前記画像情報の投影対象までの距離を前記フォーカス情報として有していることを特徴とするシナリオデータ。
＜請求項４＞
請求項１〜３のいずれか一項に記載のシナリオデータにおいて、
前記投影条件は、前記画像情報の投影対象の位置及びサイズの少なくとも一方を有する投影面情報を含んでいることを特徴とするシナリオデータ。
＜請求項５＞
請求項１〜４のいずれか一項に記載のシナリオデータにおいて、
前記投影条件は、直前のフレームの前記投影条件との差分として設定されていることを特徴とするシナリオデータ。
＜請求項６＞
請求項１〜５のいずれか一項に記載のシナリオデータにおいて、
前記投影条件は、前記画像情報の投影対象に対するズーム情報を含んでいることを特徴とするシナリオデータ。
＜請求項７＞
請求項１〜６のいずれか一項に記載のシナリオデータにおいて、
前記投影条件は、前記画像情報の投影対象に対する明暗情報を含んでいることを特徴とするシナリオデータ。
＜請求項８＞
画像情報を時系列で投影するためのシナリオデータに基づいて画像を投影する投影装置であって、
前記画像情報を投影対象に投影する投影手段と、
１フレーム毎に、前記画像情報と、当該画像情報が投影される際の投影条件とが一体化された前記シナリオデータをデコードする解釈手段と、
前記解釈手段で解釈された各フレームの画像情報を投影する際には当該画像情報に対応する投影条件が反映されるように前記投影手段を制御する制御手段とを備えることを特徴とする投影装置。
＜請求項９＞
請求項８記載の投影装置において、
前記投影条件は、前記画像情報の投影対象の位置及びサイズの少なくとも一方を有する投影面情報を含み、
前記解釈手段は、前記シナリオデータに含まれる前記投影面情報を解釈し、
前記制御手段は、前記解釈手段で解釈された前記投影面情報に対応するように、前記画像情報を投影前に加工することを特徴とする投影装置。
＜請求項１０＞
画像情報を時系列で投影するためのシナリオデータに基づいて画像を投影する投影方法であって、
前記画像情報を投影対象に投影する投影工程と、
１フレーム毎に、前記画像情報と、当該画像情報が投影される際の投影条件とが一体化された前記シナリオデータをデコードする解釈工程と、
前記解釈工程で解釈された各フレームの画像情報を投影する際に、当該画像情報に対応する投影条件を前記投影工程で反映させる反映工程とを備えることを特徴とする投影方法。
＜請求項１１＞
請求項１０記載の投影方法において、
前記投影条件は、前記画像情報の投影対象に対するフォーカス情報を含み、
前記フォーカス情報は前記画像情報を投影対象に合焦させないぼかし情報を含んでいることを特徴とする投影方法。
【符号の説明】
【００５５】
１      投影装置
２      パソコン
３      スクリーン部
１１      ＣＰＵ（解釈手段、制御手段）
１６      光源制御手段（投影手段）
１６ａ    光源（投影手段）
１７      描画制御手段（投影手段）
１７ａ    描画素子（投影手段）
１７ｂ    全体描画領域
１８      投影サイズ制御手段（投影手段）
１８ａ    投影レンズ（投影手段）
１９      フォーカス制御手段（投影手段）
２６ｂ    シナリオデータ
２６ｃ    フレームデータ
２６ｄ    画像情報
２６ｅ    ヘッダ情報
２６ｆ    フォーカス制御データ
３１      第一投影面（投影対象）
３２      第二投影面（投影対象）
３３      第三投影面（投影対象）
１００      投影システム
【図１】
2014178503.tif 000003
【図２】
2014178503.tif 000004
【図３】
2014178503.tif 000005
【図４】
2014178503.tif 000006
【図５】
2014178503.tif 000007
【図６】
2014178503.tif 000008
【図７】
2014178503.tif 000009
【図８】
2014178503.tif 000010
【図９】
2014178503.tif 000011
【図１０】
2014178503.tif 000012
【図１１】
2014178503.tif 000013
【図１２】
2014178503.tif 000014
【図１３】
2014178503.tif 000015
【図１４】
2014178503.tif 000016
【図１５】
2014178503.tif 000017
【図１６】
2014178503.tif 000018
【図１７】
2014178503.tif 000019
【図１８】
2014178503.tif 000020
【図１９】
2014178503.tif 000021
【図２０】
2014178503.tif 000022